(57)【要約】【課題】エアーなどの流体に含まれている有害ガス成分を充分に除去でき、且つ圧力損失を低くすることが出来る空気清浄機を提供する。【解決手段】機械本体２にエアー入口３及びエアー出口４を設けると共に機械本体２内にファン５を設け、通気性を有し且つ吸着剤６を充填してなる平箱状吸着剤ケース７の複数を、エアー入口３とエアー出口４との間の機械本体２内に、着脱自在に配設してなり、エアー入口３から入ったエアーが少なくとも１枚の平箱状吸着剤ケース７を通過して、エアー出口４から排出するものであって、平箱状吸着剤ケース７の１枚あたりのエアーの平均通過速度は０．５ｍ／秒以下であると共に、平箱状吸着剤ケースの１枚あたりのエアーの平均圧力損失は７０Ｐａ以下にすることで、上記課題を達成する。【選択図】図１
2014100452.tif 000002
【特許請求の範囲】
【請求項１】
機械本体にエアー入口及びエアー出口を設けると共に前記機械本体内にファンを設け、通気性を有し且つ吸着剤を充填してなる平箱状吸着剤ケースの複数を、前記エアー入口と前記エアー出口との間の前記機械本体内に、着脱自在に配設してなり、前記エアー入口から入ったエアーが少なくとも１枚の前記平箱状吸着剤ケースを通過して、前記エアー出口から排出する空気清浄機であって、前記平箱状吸着剤ケース１枚あたりのエアーの平均通過速度は０．５ｍ／秒以下であると共に、前記平箱状吸着剤ケース１枚あたりのエアーの平均圧力損失は７０Ｐａ以下であることを特徴とする空気清浄機。
【請求項２】
前記複数の平箱状吸着剤ケースは、前記機械本体内で区画された吸着剤室において、前記複数の平箱状吸着剤ケースの板面同士を所定の間隔を開けて平行に配設して、その形成した前記平箱状吸着剤ケース間の複数の所定間隔を、前記エアー入口に接続している供給側スペースと、前記エアー出口に接続している排出側スペースとに交互に構成した請求項１記載の空気清浄機。
【請求項３】
前記吸着剤室における前記供給側スペース内のエアー流れ通路の上流側から下流側にかけて、前記エアー流れ通路の断面積を徐々に減じるためのガイド板を傾斜させて設けてなり、上流側から下流側にかけてのエアー流れの流量を徐々に減らして、前記平箱状吸着剤ケースの板面に到達し、且つ通過するエアーの風速を均一化する請求項２記載の空気清浄機。
【請求項４】
前記吸着剤室における前記排出側スペース内の排出エアー流れ通路の上流側から下流側にかけて、前記排出エアー流れ通路の断面積を徐々に増やすための排出側ガイド板を傾斜させて設けてなり、上流側から下流側にかけての排出エアー流れの流量を徐々に増やし、前記排出側スペース内を通過する排出エアーの風速を均一化する請求項２または３記載の空気清浄機。
【請求項５】
前記平箱状吸着剤ケースは、少なくとも２枚重ねとし、それぞれの平箱状吸着剤ケース内に、異なる吸着特性の薬剤を添着した吸着剤を充填してなる請求項１ないし４から選択する１項に記載の空気清浄機。
【請求項６】
前記平箱状吸着剤ケースは、その中に異なる吸着特性の薬剤を添着した吸着剤を混在させて充填してなる請求項１ないし４から選択する１項に記載の空気清浄機。
【請求項７】
前記薬剤は、酸性系ガスを吸着するものである請求項５または６記載の空気清浄機。
【請求項８】
前記薬剤は、塩基性系ガスを吸着するものである請求項５または６記載の空気清浄機。
【請求項９】
前記機械本体内における前記吸着剤室の上流側に、前記エアー入口から、順次、エアー中に浮遊する粗い粒子を除去するプレフィルター、細かい粒子を除去する電気集塵装置および該電気集塵装置により除去出来なかった細かい粒子を除去する機械フィルターを、配設してなる請求項１ないし６から選択する１項に記載の空気清浄機。
【発明の詳細な説明】
【技術分野】
【０００１】  本発明は、活性炭などの吸着剤が有する吸着性能を最大限保持し、且つ圧力損失を最大限抑制した空気清浄機に関し、詳しくは、通気性を有し且つ吸着剤を充填してなる平箱状吸着剤ケースの複数を着脱自在に配設して、エアー入口から中に入ったエアーの平箱状吸着剤ケース１枚あたりの平均通過速度は０．５ｍ／秒以下であり、その時の平均圧力損失は７０Ｐａ以下である空気清浄機に関する。
【背景技術】
【０００２】  空気清浄機は、通常、エアー入口５０及びエアー出口５１を設けた機械本体５２内に、エアー入口５０から、順次、エアー中に浮遊する粗い粒子を除去するプレフィルター５３、細かい粒子を除去する電気集塵装置５４あるいは機械フィルター５５、エアー中に含有する臭気などを除去する活性炭などの吸着剤５６およびエアーをエアー入口５０から機械本体５２内に取り入れて、エアー出口５１から排出するファン５７を、順次配設してなるものである（図７参照）。【０００３】  ところが、このような空気清浄機は、屋内で使用する場合、ファン５７から発する騒音や消費電力を低く抑えるために、エアーをエアー入口５０から取り入れて清浄化して、エアー出口５１から排出するまでの圧力損失を、出来るだけ低くする必要がある。この圧力損失を低くすることは、ファン５７の使用時の圧力性能を低く出来ることになって、その結果、騒音を低く出来且つ消費電力の低下をもたらすことになる。そのため、エアー中の粒子や臭気などを除去する性能を、ある程度犠牲にして圧力損失を低くすることが行われている。なお、一般的に、上記したプレフィルター５３、電気集塵装置５４あるいは機械フィルター５５、吸着剤５６を使用して、エアーを清浄化する場合、その清浄度の上昇に応じて、圧力損失も上昇することになる。【０００４】  すなわち、空気清浄機としての性能を完全に近いものにする代わりに、ファン５７から発する騒音や消費電力の増大を容認するか、あるいは、ファン５７から発する騒音や消費電力を低く抑える代わりに、空気清浄機としての性能をある程度犠牲にすることを容認するか、である。屋内に空気清浄機を設置することは、屋内のエアーを清浄化することが大きな目的である筈である。しかしながら、その目的を達成するために、騒音という新たな不都合が発生したのでは、その設置の意味が著しく低下することになるから、上記のように、エアー中の粒子や臭気などを除去する性能をある程度犠牲にして、圧力損失を低くし騒音や消費電力を低く抑えることが行われている。【０００５】  このような状況から、流体の有害ガス成分の吸着除去などの操作を行う場合に、処理室内に流体透過性壁で構成し流通抵抗がある流体通路を設け、処理室内の流体透過性壁内に活性炭などの吸着剤を納めてなり、この処理室内に導入された有害ガス成分を含有する流体が、流体通路を通る過程で流体透過性壁内の吸着剤に表面接触させると共に、流体透過性壁を透過させる過程で吸着剤に全面的に接触させて、再び、上記の流体通路に戻るようにして、流体の有害ガス成分の吸着除去などの操作において、圧力損失を低くする技術がある（例えば、特開２００２−２１９３２４号公報参照）。
【先行技術文献】
【特許文献】
【０００６】
【特許文献１】  特開２００２−２１９３２４号公報
【発明の概要】
【発明が解決しようとする課題】
【０００６】  上記特許文献１は、流体の有害ガス成分の吸着除去などの操作において、圧力損失を低くすることが出来る点で良いものの、有害ガス成分含有の流体が、吸着剤を納めてある流体透過性壁を透過しないで、流体通路だけを通って、流体透過性壁内に納めてある吸着剤の流体通路に面している、ごく少ない表面に接触するだけのケースが考えられる。このケースでは、流体と吸着剤との接触が不十分となり、有害ガス成分の吸着除去も不十分となる虞がある。【０００７】  そこで、本発明は、上記事情に鑑みてなされたもので、エアーなどの流体に含まれている有害ガス成分を充分に除去でき、且つ圧力損失も低くすることが出来る空気清浄機を提供することを課題とする。
【課題を解決するための手段】
【０００８】  本発明は、上記課題を達成するために提案されたものであって、下記の構成からなることを特徴とするものである。
すなわち、請求項１記載の発明は、機械本体にエアー入口及びエアー出口を設けると共に前記機械本体内にファンを設け、通気性を有し且つ吸着剤を充填してなる平箱状吸着剤ケースの複数を、前記エアー入口と前記エアー出口との間の前記機械本体内に、着脱自在に配設してなり、前記エアー入口から入ったエアーが少なくとも１枚の前記平箱状吸着剤ケースを通過して、前記エアー出口から排出する空気清浄機であって、前記平箱状吸着剤ケース１枚あたりのエアーの平均通過速度は０．５ｍ／秒以下であると共に、前記平箱状吸着剤ケース１枚あたりのエアーの平均圧力損失は７０Ｐａ以下であることを特徴とする空気清浄機である。【０００９】  また、請求項２記載の発明は、前記複数の平箱状吸着剤ケースが、前記機械本体内で区画された吸着剤室において、前記複数の平箱状吸着剤ケースの板面同士を所定の間隔を開けて平行に配設して、その形成した前記平箱状吸着剤ケース間の複数の所定間隔を、前記エアー入口に接続している供給側スペースと、前記エアー出口に接続している排出側スペースとに交互に構成した空気清浄機である。【００１０】  また、請求項３記載の発明は、前記吸着剤室における前記供給側スペース内のエアー流れ通路の上流側から下流側にかけて、前記エアー流れ通路の断面積を徐々に減じるためのガイド板を傾斜させて設けてなり、上流側から下流側にかけてのエアー流れの流量を減らし、前記平箱状吸着剤ケースの板面に到達し且つ通過するエアーの風速を均一化する空気清浄機である。【００１１】  また、請求項４記載の発明は、前記吸着剤室における前記排出側スペース内の排出エアー流れ通路の上流側から下流側にかけて、前記排出エアー流れ通路の断面積を徐々に増やすためのガイド板を傾斜させて設けてなり、上流側から下流側にかけての排出エアー流れの流量を増やし、前記排出側スペース内を通過する排出エアーの風速を均一化する空気清浄機である。【００１２】  また、請求項５記載の発明は、前記平箱状活性炭ケースが、少なくとも２枚重ねとし、それぞれのケース内に、異なる吸着特性の薬剤を添着した吸着剤を充填してなる空気清浄機である。【００１３】  また、請求項６記載の発明は、前記平箱状吸着剤ケースが、その中に異なる吸着特性の薬剤を添着した吸着剤を混在させて充填してなる空気清浄機である。【００１４】  また、請求項７記載の発明は、前記薬剤が、酸性系ガスを吸着するものである空気清浄機である。【００１５】  また、請求項８記載の発明は、前記薬剤が、塩基性系ガスを吸着するものである空気清浄機である。【００１６】  また、請求項９記載の発明は、前記機械本体内における前記吸着剤室の上流側に、前記エアー入口から、順次、エアー中に浮遊する粗い粒子を除去するプレフィルター、細かい粒子を除去する電気集塵装置およびより細かい粒子を除去する機械フィルターを、配設してなる空気清浄機である。【００１７】  上記第１の課題解決手段による作用は次の通りである。すなわち、ファンが作動することにより、エアー入口から機械本体内に入ったエアーは、１枚の平箱状吸着剤ケースを平均通過速度０．５ｍ／秒以下で通過することになり、その際の平均圧力損失も７０Ｐａ以下となって、エアー中に含有する臭気などの有害ガス成分を、平箱状吸着剤ケース内の吸着剤により除去し、７０Ｐａ以下の平均圧力損失に見合えばよい低圧力のファンの使用となる。【００１８】  上記第２の課題解決手段による作用は、機械本体の吸着剤室内において、複数の平箱状吸着剤ケース間に生じた複数の所定間隔を、エアー入口に接続している供給側スペースと、前記エアー出口に接続している排出側スペースとに交互に構成することで、吸着剤室内での平箱状吸着剤ケースにおける板面の面積を大きく取ることが出来、その結果、平箱状吸着剤ケース内の通過速度を逓減できる。【００１９】  上記第３の課題解決手段による作用は、機械本体の吸着剤室の供給側スペース内に入ったエアーは、ガイド板により、エアー流れ通路の上流側から下流側に行くに従いその流量を減らし、平箱状吸着剤ケースの板面に到達し且つそれを通過するエアーの風速を均一化する。【００２０】  上記第４の課題解決手段による作用は、平箱状吸着剤ケースを通過した排出エアーは、排出側ガイド板により、排出エアー流れ通路の上流側から下流側に行くに従いその排出エアーの流量を増やし、排出側スペース内を通過する排出エアーの風速を均一化する。【００２１】  上記第５の課題解決手段による作用は、機械本体の吸着剤室内に入ったエアーは、２枚重ねした平箱状吸着剤ケース内にそれぞれ充填してある、異なる吸着特性の薬剤を添着した吸着剤により、臭気などの種々の有害ガス成分を複合的に除去する。【００２２】  上記第６の課題解決手段による作用は、機械本体の吸着剤室内に入ったエアーは、平箱状吸着剤ケース内に混在して充填してある、異なる吸着特性の薬剤を添着した吸着剤によっても、臭気などの種々の有害ガス成分を複合的に除去する。【００２３】  上記第７の課題解決手段による作用は、エアー内に含有する臭気などの種々の有害ガス成分のうち、特に酸性系ガスを選択的に吸着する。【００２４】  上記第８の課題解決手段による作用は、エアー内に含有する臭気などの種々の有害ガス成分のうち、特に塩基性系ガスを選択的に吸着する。【００２５】  上記第９の課題解決手段による作用は、ファンが作動することにより、エアー入口から機械本体内に入ったエアーは、プレフィルターでエアー中に浮遊する粗い粒子を除去し、次いで、電気集塵装置で細かい粒子を除去して、さらに、機械フィルターで電気集塵装置で除去出来なかった細かい粒子を除去する。そして、吸着剤室内の平箱状吸着剤ケース内を通過する過程で、臭気などの種々の有害ガス成分を除去する。
【発明の効果】
【００２６】  以上詳述したように、本発明によれば、以下のような効果がある。
請求項１記載の発明は、エアーなどの流体に含まれている臭気などの有害ガス成分を充分に除去でき、且つ圧力損失を低くすることが出来て、ファンを作動させることにより発生する騒音や消費電力の増大を逓減できる効果がある。【００２７】  また、請求項２記載の発明は、上記効果に加えて、吸着剤室内での平箱状吸着剤ケースにおける板面の面積を大きく取ることが出来、その通過速度を逓減できて、圧力損失を低くすることが出来、上記の効果をなお一層顕著に出来る【００２８】  また、請求項３記載の発明は、上記効果に加えて、吸着剤室の供給側スペース内での平箱状吸着剤ケースを通過するエアーの風速を均一化出来て、平箱状吸着剤ケース内の吸着剤を通過するエアーに片寄りが無くなり、エアー中の臭気などの種々の有害ガス成分を平均的に除去出来て、充填してある吸着剤の吸着能力にバラツキが生じず、安定した吸着能力と長寿命とを得ることが出来る効果がある。【００２９】  また、請求項４記載の発明は、上記効果に加えて、吸着剤室の排出側スペース内を通過する排出エアーの風速を均一化出来るから、平箱状吸着剤ケース内の吸着剤を通過するエアーの片寄りを減少させ得て、エアー中の臭気などの種々の有害ガス成分を平均的に除去出来る助けとなり、充填してある吸着剤の吸着能力にバラツキが生じず、安定した吸着能力と長寿命とを得ることが出来る効果がある。【００３０】  また、請求項５記載の発明は、上記効果に加えて、メインの吸着剤の吸着性能にプラスして異なる吸着特性の薬剤により、臭気などの種々の有害ガス成分を複合的に除去する効果がある。【００３１】  また、請求項６記載の発明は、上記効果に加えて、平箱状吸着剤ケース内に、異なる吸着特性の薬剤を添着した吸着剤を混在させても、同じように吸着剤の吸着性能にプラスして異なる吸着特性の薬剤により、臭気などの種々の有害ガス成分を複合的に除去する効果がある。【００３２】  また、請求項７記載の発明は、上記効果に加えて、酸性系ガス吸着の薬剤により、酸性系ガスを選択的且つ強力に吸着する効果がある。【００３３】  また、請求項８記載の発明は、上記効果に加えて、塩基性系ガス吸着の薬剤により、塩基性系ガスを選択的且つ強力に吸着する効果がある。【００３４】  また、請求項９記載の発明は、上記効果に加えて、プレフィルター、電気集塵装置、さらに、機械フィルターで、エアー中に浮遊する粒子をほぼ除去したあと、平箱状活性炭ケースにて臭気などの種々の有害ガス成分を複合的に除去するから、浮遊粒子による平箱状活性炭ケースの劣化がほぼ無く、その分長く使用が可能となる効果がある。
【図面の簡単な説明】
【００３５】
【図１】本発明の実施の形態を採用する空気清浄機の概要図である（実施例１）。
【図２】本発明の実施形態の空気清浄機における平箱状吸着剤ケースの斜視図である（実施例１）。
【図３】本発明の実施形態の空気清浄機における平箱状吸着剤ケースの断面図である（実施例１）。
【図４】本発明の実施形態の空気清浄機における吸着剤室の一部を断面した正面図である（実施例１）。
【図５】本発明の実施形態の空気清浄機における吸着剤室の上面図である（実施例１）。
【図６】本発明の実施形態の空気清浄機における吸着剤室の下面図である（実施例１）。
【図７】従来の空気清浄機を示す概要図である。
【発明を実施するための形態】
【００３６】
【実施例１】
【００３７】  図面において、空気清浄機１は、機械本体２にエアー入口３及びエアー出口４を設けると共に機械本体２内にファン５を設け、通気性を有し且つ吸着剤６を充填してなる平箱状吸着剤ケース７の複数を、エアー入口３とエアー出口４との間の機械本体２内に、着脱自在に配設してなり、エアー入口３から入ったエアーが少なくとも１枚の平箱状吸着剤ケース７を通過して、エアー出口４から排出するものであって、平箱状吸着剤ケース７の１枚あたりのエアーの平均通過速度は０．５ｍ／秒以下であると共に、平箱状吸着剤ケースの１枚あたりのエアーの平均圧力損失は７０Ｐａ以下であるものである。【００３８】  そして、前記機械本体２は、ロッカー状の箱体をなし、上記した平箱状吸着剤ケース７を配設している吸着剤室１０の上流側に、エアー入口３から、順次、エアー中に浮遊する粗い粒子を除去するプレフィルター１１、細かい粒子を除去する電気集塵装置１２およびこの電気集塵装置１２により除去出来なかった細かい粒子を除去する機械フィルター１３を、配設してなるものである。なお、前記ファン５は、吸着剤室１０より下流の機械本体２内に設けられている。【００３９】  前記平箱状吸着剤ケース７は、吸着剤室１０に着脱自在に配設され、充填した吸着剤６の再生処理や取り替えを自在にしている。吸着剤６は、特に限定はないが、この実施例では現存する吸着剤の中で最も優れている活性炭を使用するものとする。以後、吸着剤６は、活性炭６として記載し、平箱状吸着剤ケース７は、平箱状活性炭ケース７として記載して、さらに、吸着剤室１０は、活性炭室１０として記載する。【００４０】  この平箱状活性炭ケース７は、図２に示すように、底板１４、枠柱１５および蓋１６からなる枠体１７にネット１８を張り平箱状にして、その中に粉粒状の活性炭６を充填してなるものである。ネット１８は、充分に通気性があるが、充填した活性炭６が抜け落ちないものが選択される。また、平箱状活性炭ケース７は、そのままの状態で活性炭６の再生処理がなされる可能性に鑑み、活性炭６の再生処理に耐えうる材質、例えば、ステンレススチールなどの枠体１７およびネット１８で構成されるのが望ましい。なお、平箱状活性炭ケース７ごと活性炭６の再生処理をしない場合には、特に材質の限定はない。【００４１】  この平箱状活性炭ケース７は、図３に示すように、機械本体２内で区画された活性炭室１０において、複数の平箱状活性炭ケース７の板面７ａ同士を所定の間隔を開けて平行に配置して、その形成した平箱状活性炭ケース７間の複数の所定間隔１９を、前記エアー入口３に接続している供給側スペース１９Ａと、前記エアー出口４に接続している排出側スペース１９Ｂとに交互に構成している。このように活性炭室１０に複数の平箱状活性炭ケース７を配設することで、活性炭室１０の限られた容積内で最大限の平箱状活性炭ケース７の板面７ａ面積を得ることが出来る。その結果、エアー入口３から入ったエアーが平箱状活性炭ケース７内を通過する速度を逓減できることにつながり、エアーの平均通過速度を０．５ｍ／秒以下にすることを容易にする。エアーの平均通過速度を０．５ｍ／秒以下にすれば、平均圧力損失も７０Ｐａ以下にすることも容易となる��【００４２】  また、活性炭室１０内に形成した複数の所定間隔１９の供給側スペース１９Ａ内には、そのエアー流れ通路２０の上流側２０ａから下流側２０ｂにかけて、エアー流れ通路２０の断面積を徐々に減じるためのガイド板２１が傾斜された状態で設けられている。したがって、この活性炭室１０の供給側スペース１９Ａ内に入ったエアーは、ガイド板２１により、エアー流れ通路２０の上流側２０ａから下流側２０ｂに行くに従い、その流量を減らし、平箱状活性炭ケース７の板面７ａに到達して、且つそれを通過するエアーの風速を均一化することが出来る。このため、平箱状活性炭ケース７を通過するエアーの風速を均一化出来て、平箱状活性炭ケース７内の活性炭６を通過するエアーに片寄りが無くなり、エアー中の臭気などの種々の有害ガス成分を平均的に除去出来て、充填してある活性炭の吸着能力にバラツキが生じず、安定した吸着能力と長寿命とを得ることが出来る。【００４３】  一方、活性炭室１０内における排出側スペース１９Ｂ内には、その排出エアー流れ通路２２の上流側２２ａから下流側２２ｂにかけて、排出エアー流れ通路２２の断面積を徐々に増やすための排出側ガイド板２３が傾斜された状態で設けられている。したがって、平箱状活性炭ケース７を通過して排出側スペース１９Ｂ内に入ったエアーは、排出ガイド板２３により、排出エアー流れ通路２２の上流側２２ａから下流側２２ｂに行くに従い、その流量を増やし、排出側スペース１９Ｂ内を通過する排出エアーの風速を均一化することが出来る。このため、平箱状活性炭ケース７内の活性炭６を通過するエアーの片寄りを減少させ得て、エアー中の臭気などの種々の有害ガス成分を、平均的に除去出来る助けとなり、充填してある活性炭６の吸着能力にバラツキが生じす、安定した吸着能力と長寿命とを得ることが出来るのである。なお、上記したガイド板２１および排出ガイド板２３は、要求される均一化のレベルにより、供給側スペース１９Ａおよび排出側スペース１９Ｂに双方とも設けても良いし、いずれか片方のみを設けても良い。【００４４】  前記平箱状吸着剤ケース７は、上記したような種々工夫がなされて、活性炭室１０内に着脱自在に配設されているが、平箱状吸着剤ケース７におけるエアーの平均通過速度は、０．５ｍ／秒以下とし、その際の平均圧力損失を７０Ｐａ以下に規定した経緯を以下に説明する。【００４５】  例えば、平箱状活性炭ケース７を、図３に示すとおりに１０枚とし、その板面の寸法を０．４ｍ長さ×０．３ｍ幅×（０．０４ｍ厚み）とすると、（０．４ｍ×０．３ｍ）／枚×１０枚＝１．２ｍ２となって、エアー入口３から取り入れるエアー量を２０ｍ３／分とすると、エアーの平均通過速度は、（２０ｍ３／分）／１．２ｍ２×１秒／６０秒＝０．２７８ｍ／秒＜０．５ｍ／秒となる。なお、この平均通過速度０．２７８ｍ／秒は、平箱状活性炭ケース７内に活性炭６が充填されていない状態のものであり、活性炭６が充填された平箱状活性炭ケース７における、実際の内部通過流速は、活性炭６の充填率により変化するものの、大幅に上昇することは疑う余地がない。ただし、活性炭６が充填された状態の平箱状活性炭ケース７における、実際の内部通過流速を測定することは出��ない。【００４６】  したがって、上記の平箱状活性炭ケース７を１枚に対して２．５Ｋｇの活性炭６を充填した状態のものにつき、圧力損失を実測すると、多少のバラツキがあるものの、６０ないし７０Ｐａである。なお、上記の平箱状活性炭ケース７の容積は、４０ｃｍ×３０ｃｍ×４ｃｍ＝４８００ｍＬであり、活性炭６の見掛け比重を０．７とすると、（２．５Ｋｇ／０．７）×１０００＝３５７１ｍＬとなり、見掛け上の充填率は、３５７１ｍＬ／４８００ｍＬ＝０．７４４となる。よって、平箱状活性炭ケース７におけるエアーの平均通過速度は、０．５ｍ／秒以下とし、その際の平均圧力損失を７０Ｐａ以下に規定した。【００４７】  また、平箱状活性炭ケース７は、その板面７ａと平行に２以上重ね合わせ、それぞれの重ね合わせた平箱状活性炭ケース７Ａ、平箱状活性炭ケース７Ｂ……内に異なる吸着特性の薬剤を添着した活性炭６を充填してもよい。図１、３では重ね合わせた平箱状活性炭ケース７Ａおよび７Ｂを示しているが、３重ね、４重ね、これ以上重ねてもよいが、圧力損失が多くなりすぎて、現実的ではない。これらの平箱状活性炭ケース７Ａおよび７Ｂに異なる吸着特性の薬剤を添着した活性炭６を充填している。そして、異なる吸着特性の薬剤は、例えば、酸性系ガスを吸着するものであり、また、塩基性系ガスを吸着するものである。これらの平箱状活性炭ケース７Ａおよび７Ｂのいずれか一方に、酸性系ガスを吸着する吸着剤を添着した活性炭６を充填し、いずれか他方に、塩基性系ガスを吸着する吸着剤を添着した活性炭６を充填する。なお、平箱状活性炭ケース７Ａおよびケース７Ｂのどちらかに、酸性系ガスおよび塩基性ガスの吸着剤を添着した活性炭６を、充填しなければならない決まりはない。【００４８】  さらに、上記のように、平箱状活性炭ケース７を重ね合わさないで、異なる吸着特性の薬剤を添着した活性炭６を同一の平箱状活性炭ケース７内に混在させて充填してもよい。この場合の圧力損失は、平箱状活性炭ケース７の１枚分の７０Ｐａ以下となるが、通過エアーと活性炭６との接触時間も半分となるので、通過エアー中の有害ガス成分の除去もかなり減少することになる。【００４９】  そして、上記した機械本体２内における前記活性炭室１０の最上流側に設けられた前記プレフィルター１１は、前記エアー入口３から入ったエアー中に浮遊する粗い粒子を除去するものである。【００５０】  このプレフィルクー１１により、浮遊する粗い粒子を除去されたエアーは、次の電気集塵装置１２により、さらに浮遊する細かい粒子を除去する。この電気集塵装置１２は、いわゆる２段荷電型電気集塵機と呼ばれる公知のものであり、コロナ放電などにより空気中の浮遊粒子を帯電させるためのイオン化線およびイオン化電極を有するイオン化部と、帯電した浮遊粒子をクーロン力により捕集するための集塵電極板および集塵対電極板を交互に配置し且つこれらをスペーサにて等間隔に備えてなる集塵部と、イオン化部および集塵部に電力を供給する電源と、からなる。この電気集塵装置１２は、イオン化線とイオン化電極との間、並びに集塵電極板と集麈対電極板との間をエアーが通過するので、圧力損失が少ない割りには、エアー中の微粒子を効率よく除去できる���のである。【００５１】  さらに、この電気集塵装置１２により、浮遊する細かい粒子を除去されたエアーは、次の機械フィルター１３により、電気集塵装置１２で除去出来なかった、細かい粒子を除去する。この機械フィルター１３は、ＨＥＰＡフィルタないし準ＨＥＰＡフィルタが採用される。なお、ＨＥＰＡフィルタは、規定風量１１．５ｍ３で９９．９％（計数法）除去できるものであり、準ＨＥＰＡフィルタは、規定風量１１．５ｍ３で９９．０％（計数法）除去できるものである。【００５２】  なお、この実施例では、電気集塵装置１２と次の機械フィルター１３とを直列に配設したが、いずれか一方のみを配設するようにしても何ら差し支えない。要は、処理すべきエアーの汚染度やどの程度まで処理すべきか、あるいはエアー中に浮遊する粒子の付着による活性炭６の劣化をどの程度防ぐか、すなわち、活性炭６の再生や取り替えのローテーションをどの程度延ばすか、により、電気集塵装置１２と機械フィルター１３とを直列に配設するか、いずれか一方のみを配設するか、選択される。【００５３】  以下に、上記構成になる空気清浄機１の作用について詳述する。
ファン５を作動させると、エアーはエアー入口３から機械本体２内に入り、まず、プレフィルター１１によりエアー中に浮遊している粗い粒子が除去される。次に、電気集塵装置１２により、エアー中に浮遊している細かい粒子が除去され、さらに、機械フィルター１３により、電気集塵装置１２によって除去出来なかった細かい粒子が除去される。【００５４】  上記のとおり、プレフィルター１１、電気集塵装置１２および機械フィルター１３により、エアー中に含まれる浮遊粒子成分をほぼ除去されたエアーは、機械本体２の活性炭室１０に入る。この活性炭室１０では、平箱状活性炭ケース７間の複数の所定間隔１９が形成されているが、活性炭室１０内に入ったエアーは、前記エアー入口３に接続している供給側スペース１９Ａに入り、ガイド板２１によって、平箱状活性炭ケース７を通過するエアーの風速を均一化する。その通過過程で臭気などの有害ガス成分と活性炭６とが平均的に充分に接触し、エアーに含まれている臭気などの有害ガス成分を吸着除去して、前記エアー出口４に接続している排出側スペース１９ｂに至り、排出ガイド板２３によって、排出側スペース１９ｂ内の排出エアーの風速を均一化し、平箱状活性炭ケース７を通過するエアーの片寄りを無くす助けをして、さらに、エアー出口４から機械本体２外に排出されることになる。【００５５】  そして、上記の平箱状活性炭ケース７が２枚重ねされ、例えば、平箱状活性炭ケース７Ａに酸性系ガスを吸着する薬剤を添着したを充填してあり、平箱状活性炭ケース７Ｂに塩基性系ガスを吸着する薬剤を添着した活性炭６を充填してあると、エアー中のこれら酸性系ガスおよび塩基性系ガスを効率よく除去することになる。一方、このエアーは、平箱状活性炭ケース７を平均通過速度０．５ｍ／秒以下で通過することになり、その際の平均圧力損失も７０Ｐａ以下となって、エアー中に含有する臭気などの有害ガス成分を、平箱状活性炭ケース７内の活性炭６により除去しつつ、７０Ｐａ以下の平均圧力損失に見合う、低圧力のファン５の使用が可能となって、ファン５による騒音を逓減し、且つそれに伴う消費電力も逓減することが可能となる。【００５６】  しかしながら、空気清浄機１の長期にわたる運転継続に伴う、プレフィルター１１、電気集塵装置１２および機械フィルター１３における浮遊粒子による、詰まりや堆積によって、浮遊粒子の除去性能の劣化や、処理風量の低下ないしファン５の騒音の増大、且つそれに伴う消費電力の増大を来すから、これらのプレフィルター１１、電気集麈装置１２および機械フィルター１３のメンテナンスをある一定のローテーションで行う必要がある。【００５７】  同様に、エアー中に含有する臭気などの有害ガス成分を吸着した平箱状活性炭ケース７内の活性炭６も、その吸着性能が劣化するから、活性炭室１０から平箱状活性炭ケース７を取り外し、活性炭６を再生ないし交換をするメンテナンスを、ある一定のローテーションで行う必要がある。【００５８】  以上、本発明の実施例１を説明したが、具体的な構成はこれに限定されず、本発明の要旨を逸脱しない範囲での変更は適宜可能であることを理解されるべきである。
【産業上の利用可能性】
【００５９】  本発明の空気清浄機は、エアーなどの流体に含まれている有害成分を充分に除去でき、且つ圧力損失を低くしたいような場合に、利用可能性が極めて高くなる。
【符号の説明】
【００６０】      １                    空気清浄機
２、５２              機械本体
３、５０              エアー入口
４、５１              エアー出口
５、５７              ファン
６、５６              吸着剤（活性炭）
７、７Ａ、７Ｂ        平箱状吸着剤ケース（平箱状活性炭ケース）
７ａ                  板面
１０                  吸着剤室（活性炭室）
１１、５３            プレフィルター
１２、５４            電気集塵装置
１３、５５            機械フィルター
１４                  底板
１５                  枠柱
１６                  蓋
１７                  枠体
１８                  ネット
１９                  所定間隔
１９Ａ                供給側スペース
１９Ｂ                排出側スペース
２０                  エアー流れ通路
２０ａ、２２ａ        上流側
２０ｂ、２２ｂ        下流側
２１                  ガイド板
２２                  排出エアー流れ通路
２３                  排出ガイド板
【図１】
2014100452.tif 000003
【図２】
2014100452.tif 000004
【図３】
2014100452.tif 000005
【図４】
2014100452.tif 000006
【図５】
2014100452.tif 000007
【図６】
2014100452.tif 000008
【図７】
2014100452.tif 000009